【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
無線アクセスネットワークのノード（100）を動作させる方法であって、
第１の送信時間間隔（ＴＴＩ）の期間に、前記無線アクセスネットワークからの第１及び第２のデータブロックを、それぞれ多入力多出力（ＭＩＭＯ）無線チャネルの第１及び第２のＭＩＭＯレイヤで無線端末（200）へ送信するステップ（2507）と、
前記第２のデータブロックに対する否定応答（ＮＡＣＫ）メッセージの受信に応じて、第２のＴＴＩについての下りリンク・シグナリングを、前記無線アクセスネットワークから前記無線端末（200）へ送信するステップ（2511, 2603）であって、前記下りリンク・シグナリングが、前記第１のＭＩＭＯレイヤについての間欠送信（ＤＴＸ）インジケータと、前記第２のＭＩＭＯレイヤについての再送データインジケータとを含む、前記ステップと、
前記第２のデータブロックに対する前記否定応答（ＮＡＣＫ）メッセージの受信に応じて、前記第２のＴＴＩの期間に、当該第２のデータブロックを、前記無線アクセスネットワークから前記第２のＭＩＭＯレイヤで前記無線端末（200）へ再送するステップ（2515, 2605）と、
を含むことを特徴とする方法。
【請求項２】
前記下りリンク・シグナリングを送信するステップは、前記第１のデータブロックに対する確認応答（ＡＣＫ）メッセージの受信、及び前記第２のデータブロックに対する前記否定応答（ＮＡＣＫ）メッセージの受信に応じて、前記下りリンク・シグナリングを送信するステップ（2511）を含み、
前記第２のデータブロックを再送するステップは、前記第１のデータブロックに対する前記確認応答（ＡＣＫ）メッセージの受信、及び前記第２のデータブロックに対する前記否定応答（ＮＡＣＫ）メッセージの受信に応じて、前記第２のデータブロックを再送するステップ（2515）を含む、
ことを特徴とする請求項１に記載の方法。
【請求項３】
前記第２のＴＴＩの期間に前記第２のデータブロックを再送するステップは、前記第２のＴＴＩの期間に、前記第１のＭＩＭＯレイヤでデータを送信することなく前記第２のデータブロックを再送するステップを含む、
ことを特徴とする請求項１又は２に記載の方法。
【請求項４】
前記第１のＴＴＩの期間に前記第１及び第２のデータブロックを送信する前に、前記第１及び第２のＭＩＭＯレイヤについての第１及び第２のＨＡＲＱプロセス識別情報を選択するステップ（2703, 2707）と、
前記第２のＴＴＩについての前記下りリンク・シグナリングを送信する前に、前記第２のＭＩＭＯレイヤについての前記第２のＨＡＲＱプロセス識別情報の関数として、前記第１のＭＩＭＯレイヤについてのＨＡＲＱ−ＤＴＸプロセス識別情報を生成するステップ（2719, 2723）と、
を更に含むことを特徴とする請求項１から３のいずれか１項に記載の方法。
【請求項５】
前記下りリンク・シグナリングを送信するステップは、前記第１及び第２のデータブロックに対する第１及び第２の否定応答（ＮＡＣＫ）メッセージの受信に応じて、前記下りリンク・シグナリングを送信するステップ（2603）を含み、
前記第２のデータブロックを再送するステップは、前記第１及び第２のデータブロックに対する前記第１及び第２の否定応答（ＮＡＣＫ）メッセージの受信に応じて、前記第２のデータブロックを再送するステップ（2605）を含む、
ことを特徴とする請求項１、３及び４のいずれか１項に記載の方法。
【請求項６】
前記第２のＴＴＩの期間に前記第２のデータブロックを再送するステップは、前記第２のＴＴＩの期間に、前記第１のＭＩＭＯレイヤでデータを送信することなく前記第２のデータブロックを再送するステップを含む、
ことを特徴とする請求項５に記載の方法。
【請求項７】
前記第２のＴＴＩの期間における前記第２のデータブロックの前記再送に対する確認応答（ＡＣＫ）メッセージの受信に応じて、第３のＴＴＩについて、前記無線アクセスネットワークから前記無線端末（200）へ下りリンク・シグナリングを送信するステップ（2609）であって、前記第３のＴＴＩについての前記下りリンク・シグナリングが、前記第２のＭＩＭＯレイヤについての間欠送信（ＤＴＸ）インジケータと、前記第１のＭＩＭＯレイヤについての再送データインジケータとを含む、前記ステップと、
前記第２のＴＴＩの期間における前記第２のデータブロックの前記再送に対する前記確認応答（ＡＣＫ）メッセージの受信に応じて、前記第３のＴＴＩの期間に、前記第１のデータブロックを前記無線アクセスネットワークから前記第１のＭＩＭＯレイヤで前記無線端末（200）へ再送するステップ（2611）と、
を更に含むことを特徴とする請求項５又は６に記載の方法。
【請求項８】
前記第１のＴＴＩの期間に前記第１及び第２のデータブロックを送信する前に、前記第１及び第２のＭＩＭＯレイヤについての第１及び第２のＨＡＲＱプロセス識別情報を選択するステップ（2703, 2707）と、
前記第２のＴＴＩについての前記下りリンク・シグナリングを送信する前に、前記第２のＭＩＭＯレイヤについての前記第２のＨＡＲＱプロセス識別情報の関数として、前記第１のＭＩＭＯレイヤについてのＨＡＲＱ−ＤＴＸプロセス識別情報を生成するステップ（2719, 2723）と、
を更に含むことを特徴とする請求項１から７のいずれか１項に記載の方法。
【請求項９】
前記第１及び第２のデータブロックを送信するステップは、第１のＭＩＭＯランクに従って前記第１及び第２のデータブロックを送信するステップを含み、
前記下りリンク・シグナリングを送信するステップは、前記第２のデータブロックに対する前記否定応答（ＮＡＣＫ）メッセージの受信、及び前記無線端末からの、前記第１のＭＩＭＯランクよりも低い第２のＭＩＭＯランクについての希望の受信に応じて、前記下りリンク・シグナリングを送信するステップ（2603）を含み、
前記第２のデータブロックを再送するステップは、前記第２のデータブロックに対する前記否定応答（ＮＡＣＫ）メッセージの受信、及び、前記第１のＭＩＭＯランクよりも低い前記第２のＭＩＭＯランクについての前記希望の受信に応じて、前記第１のＭＩＭＯランクに従って前記第２のＴＴＩの期間に前記第２のデータブロックを再送するステップ（2605）を含む、
ことを特徴とする請求項１、３、４、６、７及び８のいずれか１項に記載の方法。
【請求項１０】
前記下りリンク・シグナリングを送信するステップは、前記第１のデータブロックに対する否定応答（ＮＡＣＫ）メッセージの受信、前記第２のデータブロックに対する前記否定応答（ＮＡＣＫ）メッセージの受信、及び前記第１のＭＩＭＯランクよりも低い前記第２のＭＩＭＯランクについての前記希望の受信に応じて、前記下りリンク・シグナリングを送信するステップを含む、
ことを特徴とする請求項９に記載の方法。
【請求項１１】
前記第２のＴＴＩの期間における前記第２のデータブロックの前記再送に対する確認応答（ＡＣＫ）メッセージの受信に応じて、第３のＴＴＩについて、前記無線アクセスネットワークから前記無線端末（200）へ下りリンク・シグナリングを送信するステップ（2609）であって、前記第３のＴＴＩについての前記下りリンク・シグナリングが、前記第１のＭＩＭＯレイヤについての再送データインジケータと、前記第２のＭＩＭＯレイヤについての間欠送信（ＤＴＸ）インジケータとを含む、前記ステップと、
前記第２のＴＴＩの期間における前記第２のデータブロックの前記再送に対する前記確認応答（ＡＣＫ）メッセージの受信に応じて、前記第３のＴＴＩの期間に、前記第１のＭＩＭＯランクに従って、前記第１のデータブロックを前記無線アクセスネットワークから前記第２のＭＩＭＯレイヤで前記無線端末（200）へ再送するステップ（2611）と、
を更に含むことを特徴とする請求項９又は１０に記載の方法。
【請求項１２】
前記第１のＴＴＩの期間に前記第１及び第２のデータブロックを送信する前に、前記第１及び第２のＭＩＭＯレイヤについての第１及び第２のＨＡＲＱプロセス識別情報を選択するステップ（2703, 2707）と、
前記第２のＴＴＩについての前記下りリンク・シグナリングを送信する前に、前記第２のＭＩＭＯレイヤについての前記第２のＨＡＲＱプロセス識別情報の関数として、前記第１のＭＩＭＯレイヤについてのＨＡＲＱ−ＤＴＸプロセス識別情報を生成するステップ（2719, 2723）と、
を更に含むことを特徴とする請求項８から１１のいずれか１項に記載の方法。
【請求項１３】
前記第２のＴＴＩの期間に前記第２のデータブロックを再送するステップは、前記第２のＴＴＩの期間に、前記第１のＭＩＭＯレイヤでデータを送信することなく前記第２のデータブロックを再送するステップを含む、
ことを特徴とする請求項１０から１２のいずれか１項に記載の方法。
【請求項１４】
前記第１及び第２のＭＩＭＯレイヤについての第１及び第２のＨＡＲＱプロセス識別情報を選択するステップ（2703, 2707）と、
前記第１及び第２のＨＡＲＱプロセス識別情報の選択に応じて、前記第１のＴＴＩについて、前記無線アクセスネットワークから前記無線端末（200）へ下りリンク・シグナリングを送信するステップ（2503）と、
前記第２のデータブロックに対する前記否定応答（ＮＡＣＫ）メッセージの受信に応じて、前記第２のＭＩＭＯレイヤについての前記第２のＨＡＲＱプロセス識別情報の関数として、前記第１のＭＩＭＯレイヤについてのＨＡＲＱ間欠送信（ＤＴＸ）プロセス識別情報を生成するステップ（2719, 2723）と、を更に含み、
前記第２のＴＴＩについての前記下りリンク・シグナリングを送信するステップは、前記ＨＡＲＱ−ＤＴＸプロセス識別情報の生成、及び前記第２のデータブロックに対する前記ＮＡＣＫメッセージの受信に応じて、前記第２のＴＴＩについての前記下りリンク・シグナリングを送信するステップを含み、
前記第２のデータブロックを再送するステップは、前記ＨＡＲＱ−ＤＴＸプロセス識別情報の生成、及び前記第２のデータブロックに対する前記ＮＡＣＫメッセージの受信に応じて、前記第２のデータブロックを再送するステップを含む、
ことを特徴とする請求項１、３、４、６、７及び８のいずれか１項に記載の方法。
【請求項１５】
無線アクセスネットワーク（60）のノード（100）であって、
多入力多出力（ＭＩＭＯ）無線チャネル（300）を介して無線端末（200）と通信するよう構成された送受信機（109）と、
前記送受信機（109）と接続されたプロセッサ（101）と、を備え、
前記プロセッサ（101）は、
第１の送信時間間隔（ＴＴＩ）の期間に、前記送受信機（109）を介して、第１及び第２のデータブロックをそれぞれ前記ＭＩＭＯ無線チャネルの第１及び第２のＭＩＭＯレイヤで無線端末（200）へ送信し、
前記第２のデータブロックに対する否定応答（ＮＡＣＫ）メッセージの受信に応じて、第２のＴＴＩについての下りリンク・シグナリングを、前記送受信機（109）を介して前記無線端末（200）へ送信し、ここで、前記下りリンク・シグナリングが、前記第１のＭＩＭＯレイヤについての間欠送信（ＤＴＸ）インジケータと、前記第２のＭＩＭＯレイヤについての再送データインジケータとを含み、
前記第２のデータブロックに対する前記否定応答（ＮＡＣＫ）メッセージの受信に応じて、前記第２のＴＴＩの期間に、当該第２のデータブロックを、前記送受信機（109）を介して前記第２のＭＩＭＯレイヤで前記無線端末（200）へ再送する、
よう構成されることを特徴とするノード。
【請求項１６】
前記プロセッサは、前記第１のデータブロックに対する確認応答（ＡＣＫ）メッセージの受信、及び前記第２のデータブロックに対する前記否定応答（ＮＡＣＫ）メッセージの受信に応じて、前記下りリンク・シグナリングを送信するよう構成され、
前記プロセッサは、前記第１のデータブロックに対する前記確認応答（ＡＣＫ）メッセージの受信、及び前記第２のデータブロックに対する前記否定応答（ＮＡＣＫ）メッセージの受信に応じて、前記第２のデータブロックを再送するよう構成される、
ことを特徴とする請求項１５に記載のノード。
【請求項１７】
前記プロセッサは、前記第１及び第２のデータブロックに対する第１及び第２の否定応答（ＮＡＣＫ）メッセージの受信に応じて、前記下りリンク・シグナリングを送信するよう構成され、
前記プロセッサは、前記第１及び第２のデータブロックに対する前記第１及び第２の否定応答（ＮＡＣＫ）メッセージの受信に応じて、前記第２のデータブロックを再送するよう構成される、
ことを特徴とする請求項１５に記載のノード。
【請求項１８】
前記プロセッサは、第１のＭＩＭＯランクに従って前記第１及び第２のデータブロックを送信するよう構成され、
前記プロセッサは、前記第２のデータブロックに対する前記否定応答（ＮＡＣＫ）メッセージの受信、及び前記無線端末からの、前記第１のＭＩＭＯランクよりも低い第２のＭＩＭＯランクについての希望の受信に応じて、前記下りリンク・シグナリングを送信するよう構成され、
前記プロセッサは、前記第２のデータブロックに対する前記否定応答（ＮＡＣＫ）メッセージの受信、及び、前記第１のＭＩＭＯランクよりも低い前記第２のＭＩＭＯランクについての前記希望の受信に応じて、前記第１のＭＩＭＯランクに従って前記第２のＴＴＩの期間に前記第２のデータブロックを再送するよう構成される、
ことを特徴とする請求項１５に記載のノード。
【請求項１９】
前記プロセッサは、更に、
前記第１及び第２のＭＩＭＯレイヤについての第１及び第２のＨＡＲＱプロセス識別情報を選択し、
前記第１及び第２のＨＡＲＱプロセス識別情報の選択に応じて、前記第１のＴＴＩについて、前記無線アクセスネットワークから前記無線端末（200）へ下りリンク・シグナリングを送信し、
前記第２のデータブロックに対する前記否定応答（ＮＡＣＫ）メッセージの受信に応じて、前記第２のＭＩＭＯレイヤについての前記第２のＨＡＲＱプロセス識別情報の関数として、前記第１のＭＩＭＯレイヤについてのＨＡＲＱ間欠送信（ＤＴＸ）プロセス識別情報を生成し、
前記ＨＡＲＱ−ＤＴＸプロセス識別情報の生成、及び前記第２のデータブロックに対する前記ＮＡＣＫメッセージの受信に応じて、前記第２のＴＴＩについての前記下りリンク・シグナリングを送信し、
前記ＨＡＲＱ−ＤＴＸプロセス識別情報の生成、及び前記第２のデータブロックに対する前記ＮＡＣＫメッセージの受信に応じて、前記第２のデータブロックを再送する、
よう構成されることを特徴とする請求項１５に記載のノード。
【請求項２０】
前記プロセッサは、前記第２のＴＴＩの期間に、前記第１のＭＩＭＯレイヤでデータを送信することなく、前記第２のデータブロックを再送するよう構成される、
ことを特徴とする請求項１５から１９のいずれか１項に記載のノード。